(57)【要約】【課題】データを安全且つ十分にバックアップすることができるようにする。【解決手段】充電器１に携帯電話端末３が電気的に接続され、携帯電話端末３においてバックアップ操作が行われると、携帯電話端末３のＲＡＭが記憶するデータが充電器１によって読み取られ、読み取られたデータはサーバ２に送信されて、サーバ２のＨＤＤに記憶される。【選択図】図１
2010050859.tif 000002
【特許請求の範囲】
【請求項１】
携帯電話端末が内蔵するバッテリーを充電する充電器と、データを記憶可能なデータ記憶手段を備えたサーバと、を有するデータバックアップシステムであって、
前記充電器は、
前記携帯電話端末が内蔵するメモリが記憶するデータを読み取るデータ読取手段と、
前記サーバと通信を行う充電器側通信手段と、
前記読取手段が読み取った前記データを前記充電器側通信手段から送信させる充電器側データ送信制御手段と、
を有し、
前記サーバは、
前記充電器と通信を行うサーバ側通信手段と、
前記充電器から送信された前記データを前記サーバ側通信手段に受信させるサーバ側データ受信制御手段と、
前記サーバ側通信手段が受信した前記データを前記データ記憶手段に記憶させるデータ記憶制御手段と、
を有することを特徴とするデータバックアップシステム。
【請求項２】
前記データ読取手段は、前記データとともに、前記携帯電話端末に予め設定された識別情報を読み取り、
前記充電器側データ送信制御手段は、前記データとともに、前記識別情報を前記充電器側通信手段から送信させ、
前記データ記憶制御手段は、前記データを前記識別情報に関連付けて前記データ記憶手段に記憶させており、
前記充電器は、
前記識別情報を含んだ所定の信号を前記携帯電話端末から受け付ける信号受付手段と、
前記信号受付手段が受け付けた前記所定の信号を前記充電器側通信手段から送信させる信号送信制御手段と、
前記サーバから送信されたデータを前記充電器側通信手段に受信させる充電器側データ受信制御手段と、
前記充電器側通信手段が受信した前記データを前記携帯電話端末の前記メモリに書き込むデータ書込手段と、
を更に有し、
前記サーバは、
前記充電器から送信された前記所定の信号を前記サーバ側通信手段に受信させる信号受信制御手段と、
前記サーバ側通信手段が受信した前記所定の信号に含まれる前記識別情報に関連付けられたデータを抽出するデータ抽出手段と、
前記データ抽出手段が抽出したデータを前記サーバ側通信手段から送信させるサーバ側データ送信制御手段と、
を更に有することを特徴とする請求項１に記載のデータバックアップシステム。
【請求項３】
前記データ記憶手段が記憶するデータは、複数種類のデータからなり、
前記所定の信号には、前記データの種類に関する種類情報が含まれており、
前記データ抽出手段は、前記種類情報に応じた種類のデータを抽出することを特徴とする請求項２に記載のデータバックアップシステム。
【発明の詳細な説明】
【技術分野】
【０００１】
本発明は、携帯電話端末のメモリに記憶されたデータをバックアップするデータバックアップシステムに関する。
【背景技術】
【０００２】
従来、携帯電話端末が内蔵するメモリには、電話番号、メールアドレス、送受信メールの内容、音楽、画像等のデータが保存されている。よって、携帯電話端末を紛失したり、携帯電話端末が破損したりすることは、データの消失を意味し、大きな痛手となる。
【０００３】
そこで、特許文献１には、携帯電話端末が内蔵するバッテリーを充電する充電器に挿抜されるメモリカードに、携帯電話端末のメモリが保存するデータを記憶させることが開示されている。
【０００４】
【特許文献１】特開２００５−２６０４６１号公報
【発明の開示】
【発明が解決しようとする課題】
【０００５】
しかしながら、特許文献１において、メモリカードは紛失しやすく、記憶容量も限られている。よって、データを安全且つ十分にバックアップすることができることが望まれる。
【０００６】
本発明の目的は、データを安全且つ十分にバックアップすることが可能なデータバックアップシステムを提供することである。
【課題を解決するための手段及び効果】
【０００７】
本発明のデータバックアップシステムは、携帯電話端末が内蔵するバッテリーを充電する充電器と、データを記憶可能なデータ記憶手段を備えたサーバと、を有するデータバックアップシステムであって、前記充電器は、前記携帯電話端末が内蔵するメモリが記憶するデータを読み取るデータ読取手段と、前記サーバと通信を行う充電器側通信手段と、前記読取手段が読み取った前記データを前記充電器側通信手段から送信させる充電器側データ送信制御手段と、を有し、前記サーバは、前記充電器と通信を行うサーバ側通信手段と、前記充電器から送信された前記データを前記サーバ側通信手段に受信させるサーバ側データ受信制御手段と、前記サーバ側通信手段が受信した前記データを前記データ記憶手段に記憶させるデータ記憶制御手段と、を有することを特徴とする。
【０００８】
上記の構成によれば、携帯電話端末が内蔵するメモリが記憶するデータが、携帯電話端末のバッテリーを充電する充電器によって読み取られてサーバに送信され、サーバにバックアップとして記憶される。このように、データをサーバにバックアップすることで、データが消失するリスクが低減され、データ容量が制限されることもないから、データを安全且つ十分にバックアップすることができる。
【０００９】
また、本発明のデータバックアップシステムにおいて、前記データ読取手段は、前記データとともに、前記携帯電話端末に予め設定された識別情報を読み取り、前記充電器側データ送信制御手段は、前記データとともに、前記識別情報を前記充電器側通信手段から送信させ、前記データ記憶制御手段は、前記データを前記識別情報に関連付けて前記データ記憶手段に記憶させており、前記充電器は、前記識別情報を含んだ所定の信号を前記携帯電話端末から受け付ける信号受付手段と、前記信号受付手段が受け付けた前記所定の信号を前記充電器側通信手段から送信させる信号送信制御手段と、前記サーバから送信されたデータを前記充電器側通信手段に受信させる充電器側データ受信制御手段と、前記充電器側通信手段が受信した前記データを前記携帯電話端末の前記メモリに書き込むデータ書込手段と、を更に有し、前記サーバは、前記充電器から送信された前記所定の信号を前記サーバ側通信手段に受信させる信号受信制御手段と、前記サーバ側通信手段が受信した前記所定の信号に含まれる前記識別情報に関連付けられたデータを抽出するデータ抽出手段と、前記データ抽出手段が抽出したデータを前記サーバ側通信手段から送信させるサーバ側データ送信制御手段と、を更に有していてよい。上記の構成によれば、サーバはデータを識別情報に関連付けて記憶しており、所定の信号を受信した場合に、所定の信号に含まれる識別情報に関連付けられたデータを抽出して充電器に送信することによって、携帯電話端末のメモリにデータをリストアさせる。これにより、識別情報を知っている携帯電話端末のユーザのみがサーバに記憶されたデータを取得することができるから、データが他人に取得されるのを防止することができる。
【００１０】
また、本発明のデータバックアップシステムにおいて、前記データ記憶手段が記憶するデータは、複数種類のデータからなり、前記所定の信号には、前記データの種類に関する種類情報が含まれており、前記データ抽出手段は、前記種類情報に応じた種類のデータを抽出してよい。上記の構成によれば、サーバは、所定の信号を受信した場合に、所定の信号に含まれる種類情報に応じた種類のデータを抽出して充電器に送信することによって、種類情報に応じた種類のデータを携帯電話端末のメモリにリストアさせる。これにより、携帯電話端末のユーザが所望する種類のデータのみをリストアさせることができるから、利便性を向上させることができる。
【発明を実施するための最良の形態】
【００１１】
［第１の実施の形態］
本発明の第１の実施の形態を図１ないし図５に基づいて以下に説明する。
【００１２】
（データバックアップシステム１０の構成）
本実施の形態にかかるデータバックアップシステム１０は、図１に示すように、携帯電話端末３が内蔵するバッテリー（図示せず）を充電する充電器１と、データを記憶可能なデータ記憶手段としてのＨＤＤ（ハードディスクドライブ）２６（図２参照）を備えたサーバ２と、を有している。
【００１３】
（携帯電話端末３の機械的構成）
携帯電話端末３は、図１に示すように、折りたたみ式であり、液晶表示装置５７、スピーカ５４、操作キー群５５、マイク５３、図示しないカメラ５８等を有している。また、携帯電話端末３は、図示しないバッテリーを内蔵しており、バッテリーから供給される電力によって駆動可能となっている。そして、携帯電話端末３は、通話の他に、インターネットや電子メールの送受信、テレビ電話、写真撮影、音楽再生等を行うことが可能にされている。なお、携帯電話端末３は、折りたたみ式に限定されるものではない。
【００１４】
また、携帯電話端末３が内蔵するメモリであるＲＡＭ３５（図２参照）には、「電話番号」、「メールアドレス」、「送信メール内容」、「受信メール内容」、「画像」、「音楽」、「アプリ」等のデータが記憶されている。また、携帯電話端末３には、予め識別情報が設定されている。ここで、本実施の形態において、識別情報は、携帯電話端末３に固有の情報（製品番号等）、および、ユーザの個人情報（ユーザが設定したパスワード等）である。
【００１５】
（充電器１およびサーバ２の機械的構成）
充電器１には、携帯電話端末３が電気的に接続される端子（図示せず）が設けられており、携帯電話端末３がこの端子に接続されると、携帯電話端末３のバッテリーに自動で電力が供給されるようにされている。また、充電器１には、インターネット網５０に接続する充電器側通信手段としての充電器側通信部１９（図２参照）が設けられており、インターネット網５０を介してサーバ２と通信が行われるようにされている。
【００１６】
また、充電器１には、端子に接続された携帯電話端末３の接続部５９（図２参照）に接続されるデータ読取手段およびデータ書込手段としての読取・書込部１８（図２参照）が設けられており、この読取・書込部１８を介して携帯電話端末３のＲＡＭ３５が記憶するデータを読み取ったり、ＲＡＭ３５にデータを書き込んだりするように構成されている。
【００１７】
サーバ２には、インターネット網５０に接続するサーバ側通信手段としてのサーバ側通信部２８（図２参照）が設けられており、インターネット網５０を介して充電器１と通信が行われるようにされている。
【００１８】
携帯電話端末３のＲＡＭ３５からのデータの読み取りは、充電器１の読取・書込部１８に接続部５９が接続された携帯電話端末３において、バックアップ操作が行われたことにより実行される。バックアップ操作が行われると、図１に示すように、携帯電話端末３が備える液晶表示装置５７に、バックアップを実行するか否かを選択させる画面７１が表示される。そして、バックアップの実行が選択された場合には、読取・書込部１８は、携帯電話端末３のＲＡＭ３５が記憶するデータを、識別情報とともに読み取る。読み取られたデータは、インターネット網５０を介してサーバ２に送信される。サーバ２においては、データが識別情報に関連付けられてＨＤＤ２６に記憶される。
【００１９】
ここで、サーバ２のＨＤＤ２６にバックアップされるデータは、複数種類のデータからなる。具体的には、図１に示すように、サーバ２のＨＤＤ２６にバックアップされるデータは、「電話番号」、「メールアドレス」、「送信メール内容」、「受信メール内容」、「画像」、「音楽」、「アプリ」等のデータである。
【００２０】
このように、携帯電話端末３のＲＡＭ３５が記憶するデータをサーバ２にバックアップすることで、データが消失するリスクが低減され、データ容量が制限されることもないから、データを安全且つ十分にバックアップすることができる。
【００２１】
一方、携帯電話端末３のＲＡＭ３５へのデータの書き込みは、充電器１の読取・書込部１８に接続部５９が接続された携帯電話端末３において、リストア操作が行われたことにより実行される。このリストア操作には、データの種類を指定する操作が含まれている。リストア操作が行われると、バックアップのときと同様に、携帯電話端末３が備える液晶表示装置５７に、リストアを実行するか否かを選択させる画面が表示される。そして、リストアの実行が選択された場合には、充電器１は、携帯電話端末３からリストア要求信号（所定の信号）を受け付け、リストア要求信号をサーバ２に送信する。このリストア要求信号には、識別情報と種類情報とが含まれている。ここで、種類情報とは、データの種類に関する情報であり、例えば、「電話番号」のデータをリストアの対象とする情報である。サーバ２は、ＨＤＤ２６が記憶するデータの中から、識別情報に関連付けられ、且つ、種類情報に応じた種類のデータを抽出し、インターネット網５０を介して充電器１に送信する。充電器１に送信されたデータは、読取・書込部１８により携帯電話端末３のＲＡＭ３５に書き込まれる。
【００２２】
このように、サーバ２はデータを識別情報に関連付けて記憶しており、リストア要求信号を受信した場合に、リストア要求信号に含まれる識別情報に関連付けられたデータを抽出して充電器１に送信することによって、携帯電話端末３のＲＡＭ３５にデータをリストアさせる。これにより、識別情報を知っている携帯電話端末３のユーザのみがサーバ２に記憶されたデータを取得することができるから、データが他人に取得されるのを防止することができる。
【００２３】
また、サーバ２は、リストア要求信号を受信した場合に、リストア要求信号に含まれる種類情報に応じた種類のデータを抽出して充電器１に送信することによって、種類情報に応じた種類のデータを携帯電話端末３のＲＡＭ３５にリストアさせる。これにより、携帯電話端末３のユーザが所望する種類のデータのみをリストアさせることができるから、利便性を向上させることができる。
【００２４】
（携帯電話端末３の電気的構成）
携帯電話端末３は、図２に示すように、制御回路３１によって動作が制御されている。図２に示す制御回路３１は、回路基板上に配置されたマイクロコンピュータ３２を主たる構成要素とし、これに各種回路を加えて構成されている。マイクロコンピュータ３２は、予め設定されたプログラムに従って制御動作を行うＣＰＵ３３と、ＲＯＭ３４と、ＲＡＭ３５とを有している。
【００２５】
ＣＰＵ３３には、アンテナ５１を介して各種デジタル信号の送受信を行う送受信部３６、増幅器としてのパワーアンプ３８を介して外部スピーカ５２から出力させる着信音等の音を制御する音源ＩＣ３７、マイク５３に入力された音声を処理する入力音声処理回路３９、スピーカ５４から出力させる音声を処理する出力音声処理回路４０、操作キー群５５からの各種入力信号やフリップセンサ５６からのオン／オフ信号が入力されるインターフェイス回路４１、液晶表示装置５７に表示させる画像を制御する画像制御回路４２、カメラ５８が撮像した画像データを処理する画像処理回路４３、および、接続部５９を介してデータの入出力を行うデータ入出力部４４が接続されている。
【００２６】
ＣＰＵ３３は、アンテナ５１を介して送受信部３６が通話や電子メール等のデータを受信した際に、音源ＩＣ３７を制御して、パワーアンプ３８を介して外部スピーカ５２から各種着信音を出力させる。また、ＣＰＵ３３は、インターフェイス回路４１を介してフリップセンサ５６からオン／オフ信号を受信することによって、折りたたみ式の筐体の開閉を判断する。
【００２７】
また、ＣＰＵ３３は、外部との通話時に、アンテナ５１を介して送受信部３６が受信した通話先の音声を出力音声処理回路４０で処理させて、スピーカ５４から出力させる一方、マイク５３に入力された音声を入力音声処理回路３９で処理させて、送受信部３６からアンテナ５１を介して外部に送信させる。また、ＣＰＵ３３は、アンテナ５１を介して送受信部３６が受信した相手の電話番号や電子メール等の内容を、画像制御回路４２を制御して、液晶表示装置５７に表示させる。
【００２８】
また、ＣＰＵ３３は、外部に電話をかけたり電子メールを送信したりする際に、インターフェイス回路４１を介して操作キー群５５からの各種入力を受け付け、その入力内容を液晶表示装置５７に表示させるように画像制御回路４２を制御する。また、ＣＰＵ３３は、テレビ電話や写真撮影を行う際に、カメラ５８を駆動させ、カメラ５８が撮像した画像データを画像処理回路４３で処理させて、液晶表示装置５７に表示させる。
【００２９】
ＲＯＭ３４やＲＡＭ３５には、外部スピーカ５２から出力させる各種着信音のデータが記憶されている。また、ＲＡＭ３５には、電話番号、メールアドレス、通話記録、電子メールの内容、画像、音楽等のデータが記憶されている。
【００３０】
（充電器１の電気的構成）
充電器１は、図２に示すように、制御回路１１によって動作が制御されている。図２に示す制御回路１１は、回路基板上に配置されたマイクロコンピュータ１２を主たる構成要素とし、これに各種回路を加えて構成されている。マイクロコンピュータ１２は、予め設定されたプログラムに従って制御動作を行うＣＰＵ１３と、ＲＯＭ１４と、ＲＡＭ１５とを有している。
【００３１】
ＣＰＵ１３には、読取・書込部１８を介してデータの入出力を行うデータ入出力部１６、および、充電器側通信部１９が送信するデータを変調する一方、充電器側通信部１９が受信したデータを復調する変復調回路１７が接続されている。
【００３２】
充電器側データ送信制御手段としてのＣＰＵ１３は、読取・書込部１８が読み取ったデータを識別情報とともに充電器側通信部１９からサーバ２に送信させる。信号受付手段としてのＣＰＵ１３は、識別情報および種類情報を含んだリストア要求信号（所定の信号）を携帯電話端末３から受け付ける。信号送信制御手段としてのＣＰＵ１３は、受け付けたリストア要求信号を充電器側通信部１９からサーバ２に送信させる。充電器側データ受信制御手段としてのＣＰＵ１３は、サーバ２から送信されたデータを充電器側通信部１９に受信させる。
【００３３】
ＲＯＭ１４には、バックアップやリストアを実行するプログラム等が記憶されている。ＲＡＭ１５には、携帯電話端末３から読み取ったデータや、サーバ２から受信したデータが一時的に記憶される。
【００３４】
（サーバ２の電気的構成）
サーバ２は、図２に示すように、制御回路２１によって動作が制御されている。図２に示す制御回路２１は、回路基板上に配置されたマイクロコンピュータ２２を主たる構成要素とし、これに各種回路を加えて構成されている。マイクロコンピュータ２２は、予め設定されたプログラムに従って制御動作を行うＣＰＵ２３と、ＲＯＭ２４と、ＲＡＭ２５と、ＨＤＤ２６とを有している。
【００３５】
ＣＰＵ２３には、サーバ側通信部２８が送信するデータを変調する一方、サーバ側通信部２８が受信したデータを復調する変復調回路２７が接続されている。
【００３６】
サーバ側データ受信制御手段としてのＣＰＵ２３は、充電器１から送信されたデータをサーバ側通信部２８に受信させる。データ記憶制御手段としてのＣＰＵ２３は、サーバ側通信部２８が受信したデータをＨＤＤ２６に記憶させる。信号受信制御手段としてのＣＰＵ２３は、充電器１から送信されたリストア要求信号をサーバ側通信部２８に受信させる。データ抽出手段としてのＣＰＵ２３は、サーバ側通信部２８が受信したリストア要求信号に含まれる識別情報に関連付けられ、且つ、リストア要求信号に含まれる種類情報に応じた種類のデータを抽出する。サーバ側データ送信制御手段としてのＣＰＵ２３は、抽出したデータをサーバ側通信部２８から充電器１に送信させる。
【００３７】
ＲＯＭ２４には、充電器１から受信したデータをＨＤＤ２６に記憶させるためのプログラムや、リストア要求信号に応じたデータを抽出するプログラム等が記憶されている。ＲＡＭ２５には、充電器１から受信したデータや、充電器１に送信するデータが一時的に記憶される。ＨＤＤ２６には、充電器１から受信したデータが、後述するデータテーブル管理テーブル（図３（ａ）参照）の形式で記憶される。
【００３８】
（データテーブル管理テーブル）
サーバ２のＨＤＤ２６には、充電器１から受信したデータが、図３（ａ）に示すデータテーブル管理テーブルの形式で記憶されている。このデータテーブル管理テーブルにおいては、データの種類と、データテーブルの種類とが対応付けられている。例えば、「電話番号」および「メールアドレス」のデータは、通信データテーブルに対応付けられている。この通信データテーブルは、図３（ｂ）に示すように、「メモリ番号」と「名前」と「電話番号」と「メールアドレス」とを対応付けて記憶している。また、例えば、画像データテーブルは、「画像」のデータを記憶している。
【００３９】
（データバックアップシステム１０の動作）
上記の構成において、図４、図５を参照して、データバックアップシステム１０の動作について説明する。
【００４０】
（充電器側バックアップ処理ルーチン）
充電器１の動作である充電器側バックアップ処理ルーチンが実行されると、図４に示すように、充電器１のＣＰＵ１３は、携帯電話端末３が充電器１にセットされているか否かを判定する（Ａ１）。具体的には、携帯電話端末３の接続部５９に読取・書込部１８が接続されているか否かを判定する。携帯電話端末３が充電器１にセットされていないと判定した場合には（Ａ１：ＮＯ）、本ルーチンを終了する。一方、携帯電話端末３が充電器１にセットされていると判定した場合には（Ａ１：ＹＥＳ）、携帯電話端末３においてバックアップ操作が行われたか否かを判定する（Ａ２）。
【００４１】
ＣＰＵ１３は、携帯電話端末３においてバックアップ操作が行われていないと判定した場合には（Ａ２：ＮＯ）、本ルーチンを終了する。一方、携帯電話端末３においてバックアップ操作が行われたと判定した場合には（Ａ２：ＹＥＳ）、読取・書込部１８により、携帯電話端末３のＲＡＭ３５からデータを読み取らせる（Ａ３）。そして、変復調回路１７により、読み取ったデータを変調させ、充電器側通信部１９により、変調されたデータをサーバ２に送信させる（Ａ４）。そして、本ルーチンを終了する。
【００４２】
（サーバ側バックアップ処理ルーチン）
サーバ２の動作であるサーバ側バックアップ処理ルーチンが実行されると、図４に示すように、サーバ２のＣＰＵ２３は、サーバ側通信部２８により、充電器１からデータを受信させる（Ａ１０１）。そして、変復調回路２７により、受信されたデータを復調させて、ＨＤＤ２６に格納させる（Ａ１０２）。そして、本ルーチンを終了する。
【００４３】
このように、携帯電話端末３のＲＡＭ３５が記憶するデータをサーバ２にバックアップすることで、データが消失するリスクが低減され、データ容量が制限されることもないから、データを安全且つ十分にバックアップすることができる。
【００４４】
（充電器側リストア処理ルーチン）
充電器１の動作である充電器側リストア処理ルーチンが実行されると、図５に示すように、充電器１のＣＰＵ１３は、携帯電話端末３が充電器１にセットされているか否かを判定する（Ｂ１）。具体的には、携帯電話端末３の接続部５９に読取・書込部１８が接続されているか否かを判定する。携帯電話端末３が充電器１にセットされていないと判定した場合には（Ｂ１：ＮＯ）、本ルーチンを終了する。一方、携帯電話端末３が充電器１にセットされていると判定した場合には（Ｂ１：ＹＥＳ）、携帯電話端末３においてリストア操作が行われたか否かを判定する（Ｂ２）。
【００４５】
ＣＰＵ１３は、携帯電話端末３においてリストア操作が行われていないと判定した場合には（Ｂ２：ＮＯ）、本ルーチンを終了する。一方、携帯電話端末３においてリストア操作が行われたと判定した場合には（Ｂ２：ＹＥＳ）、充電器側通信部１９により、リストア要求信号をサーバ２に送信させる（Ｂ３）。そして、充電器側通信部１９により、サーバ２からデータを受信させ（Ｂ４）、変復調回路１７により、受信されたデータを復調させ、読取・書込部１８により、復調されたデータを携帯電話端末３のＲＡＭ３５に書き込ませる（Ｂ５）。そして、本ルーチンを終了する。
【００４６】
（サーバ側リストア処理ルーチン）
サーバ２の動作であるサーバ側リストア処理ルーチンが実行されると、図５に示すように、サーバ２のＣＰＵ２３は、サーバ側通信部２８により、充電器１からリストア要求信号を受信させ（Ｂ１０１）、リストア要求信号に含まれる識別情報に関連付けられ、且つ、リストア要求信号に含まれる種類情報に応じた種類のデータを抽出する（Ｂ１０２）。そして、抽出されたデータを変復調回路２７で変調させ、サーバ側通信部２８により、変調されたデータを充電器１に送信させる（Ｂ１０３）。そして、本ルーチンを終了する。
【００４７】
このように、サーバ２はデータを識別情報に関連付けて記憶しており、リストア要求信号を受信した場合に、リストア要求信号に含まれる識別情報に関連付けられたデータを抽出して充電器１に送信することによって、携帯電話端末３のＲＡＭ３５にデータをリストアさせる。これにより、識別情報を知っている携帯電話端末３のユーザのみがサーバ２に記憶されたデータを取得することができるから、データが他人に取得されるのを防止することができる。
【００４８】
また、サーバ２は、リストア要求信号を受信した場合に、リストア要求信号に含まれる種類情報に応じた種類のデータを抽出して充電器１に送信することによって、種類情報に応じた種類のデータを携帯電話端末３のＲＡＭ３５にリストアさせる。これにより、携帯電話端末３のユーザが所望する種類のデータのみをリストアさせることができるから、利便性を向上させることができる。
【００４９】
（本実施の形態の概要）
以上のように、本実施の形態のデータバックアップシステム１０は、携帯電話端末３が内蔵するバッテリーを充電する充電器１と、データを記憶可能なデータ記憶手段（ＨＤＤ２６等）を備えたサーバ２と、を有するデータバックアップシステム１０であって、充電器１は、携帯電話端末３が内蔵するメモリ（ＲＡＭ３５等）が記憶するデータを読み取るデータ読取手段（読取・書込部１８、ＣＰＵ１３等）と、サーバ２と通信を行う充電器側通信手段（充電器側通信部１９等）と、読取手段が読み取ったデータを充電器側通信手段から送信させる充電器側データ送信制御手段（ＣＰＵ１３、図４の充電器側バックアップ処理ルーチン等）と、を有し、サーバ２は、充電器１と通信を行うサーバ側通信手段（サーバ側通信部２８等）と、充電器１から送信されたデータをサーバ側通信手段に受信させるサーバ側データ受信制御手段（ＣＰＵ２３、図４のサーバ側バックアップ処理ルーチン等）と、サーバ側通信手段が受信したデータをデータ記憶手段に記憶させるデータ記憶制御手段（ＣＰＵ２３、図４のサーバ側バックアップ処理ルーチン等）と、を有する構成にされている。
【００５０】
上記の構成によれば、携帯電話端末３が内蔵するメモリが記憶するデータが、携帯電話端末３のバッテリーを充電する充電器１によって読み取られてサーバ２に送信され、サーバ２にバックアップとして記憶される。このように、データをサーバ２にバックアップすることで、データが消失するリスクが低減され、データ容量が制限されることもないから、データを安全且つ十分にバックアップすることができる。
【００５１】
また、本実施の形態のデータバックアップシステム１０において、データ読取手段は、データとともに、携帯電話端末３に予め設定された識別情報を読み取り、充電器側データ送信制御手段は、データとともに、識別情報を充電器側通信手段から送信させ、データ記憶制御手段は、データを識別情報に関連付けてデータ記憶手段に記憶させており、充電器１は、識別情報を含んだ所定の信号（リストア要求信号）を携帯電話端末３から受け付ける信号受付手段（ＣＰＵ１３、図５の充電器側リストア処理ルーチン等）と、信号受付手段が受け付けた所定の信号を充電器側通信手段から送信させる信号送信制御手段（ＣＰＵ１３、図５の充電器側リストア処理ルーチン等）と、サーバ２から送信されたデータを充電器側通信手段に受信させる充電器側データ受信制御手段（ＣＰＵ１３、図５の充電器側リストア処理ルーチン等）と、充電器側通信手段が受信したデータを携帯電話端末３のメモリに書き込むデータ書込手段（読取・書込部１８、ＣＰＵ１３等）と、を更に有し、サーバ２は、充電器１から送信された所定の信号をサーバ側通信手段に受信させる信号受信制御手段（ＣＰＵ２３、図５のサーバ側リストア処理ルーチン等）と、サーバ側通信手段が受信した所定の信号に含まれる識別情報に関連付けられたデータを抽出するデータ抽出手段（ＣＰＵ２３、図５のサーバ側リストア処理ルーチン等）と、データ抽出手段が抽出したデータをサーバ側通信手段から送信させるサーバ側データ送信制御手段（ＣＰＵ２３、図５のサーバ側リストア処理ルーチン等）と、を更に有する構成にされている。上記の構成によれば、サーバ２はデータを識別情報に関連付けて記憶しており、所定の信号を受信した場合に、所定の信号に含まれる識別情報に関連付けられたデータを抽出して充電器１に送信することによって、携帯電話端末３のメモリにデータをリストアさせる。これにより、識別情報を知っている携帯電話端末３のユーザのみがサーバに記憶されたデータを取得することができるから、データが他人に取得されるのを防止することができる。
【００５２】
また、本実施の形態のデータバックアップシステム１０において、データ記憶手段が記憶するデータは、複数種類のデータからなり、所定の信号には、データの種類に関する種類情報が含まれており、データ抽出手段は、種類情報に応じた種類のデータを抽出する構成にされている。上記の構成によれば、サーバ２は、所定の信号を受信した場合に、所定の信号に含まれる種類情報に応じた種類のデータを抽出して充電器１に送信することによって、種類情報に応じた種類のデータを携帯電話端末３のメモリにリストアさせる。これにより、携帯電話端末３のユーザが所望する種類のデータのみをリストアさせることができるから、利便性を向上させることができる。
【００５３】
［第２の実施の形態］
本発明の第２の実施の形態を図６に基づいて以下に説明する。
【００５４】
（データバックアップシステム２０の構成）
本実施の形態にかかるデータバックアップシステム２０は、図６に示すように、同一のユーザが所有する個人用携帯電話端末３ａおよび会社用携帯電話端末３ｂの各々が内蔵するバッテリー（図示せず）を充電する充電器１と、ＨＤＤ２６（図２参照）を備えたサーバ２と、を有している。なお、携帯電話端末の数は２台に限定されない。
【００５５】
個人用携帯電話端末３ａおよび会社用携帯電話端末３ｂの各々には、予め識別情報が設定されている。ここで、本実施の形態において、識別情報は、第１の実施の形態とは異なり、ユーザの個人情報（ユーザが設定したパスワード等）である。例えば、個人用携帯電話端末３ａに設定された識別情報は「ａａａ」であり、会社用携帯電話端末３ｂに設定された識別情報は「ｂｂｂ」である。
【００５６】
第１の実施の形態と同様に、個人用携帯電話端末３ａおよび会社用携帯電話端末３ｂの各々のデータは、サーバ２にバックアップされる。また、個人用携帯電話端末３ａおよび会社用携帯電話端末３ｂの各々に、データがリストアされる。
【００５７】
ここで、個人用携帯電話端末３ａおよび会社用携帯電話端末３ｂを所有する同一のユーザは、個人用携帯電話端末３ａのデータを会社用携帯電話端末３ｂにリストアさせたり、会社用携帯電話端末３ｂのデータを個人用携帯電話端末３ａにリストアさせたりすることが可能である。
【００５８】
具体的には、個人用携帯電話端末３ａが充電器１に接続され、充電器１が、個人用携帯電話端末３ａから、会社用携帯電話端末３ｂの識別情報（例えば、「ｂｂｂ」）を含んだリストア要求信号を受け付けた場合、会社用携帯電話端末３ｂの識別情報に関連付けられてサーバ２のＨＤＤ２６に記憶されていたデータが、異なる識別情報（例えば、「ａａａ」）が設定されている個人用携帯電話端末３ａにリストアされる。逆の場合には、個人用携帯電話端末３ａの識別情報（例えば、「ａａａ」）に関連付けられてサーバ２のＨＤＤ２６に記憶されていたデータが、異なる識別情報（例えば、「ｂｂｂ」）が設定されている会社用携帯電話端末３ｂにリストアされる。
【００５９】
図６においては、個人用携帯電話端末３ａが記憶し、サーバ２にバックアップされていた「個人的な電話番号」のデータが、サーバ２から会社用携帯電話端末３ｂにリストアされた状態を示している。
【００６０】
このように、複数の携帯電話端末３ａ，３ｂの間でデータを共有することができるから、利便性が向上される。
【００６１】
その他の点は、第１の実施の形態と同じであるので、その説明を省略する。
【００６２】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００６３】
例えば、本実施の形態において、携帯電話端末３においてバックアップ操作が行われたことを条件に、データのバックアップが行われる構成にされているが、この構成に限定されるものではなく、携帯電話端末３が充電器１に電気的に接続されると、自動でバックアップが行われる構成にされていてもよい。
【００６４】
また、バックアップ操作およびリストア操作が携帯電話端末３において行われる構成にされているが、この構成に限定されるものではなく、バックアップ操作およびリストア操作が、充電器１に設けられた入力装置（例えば、ボタン）や表示部（例えば、液晶表示装置）を用いて行われる構成にされていてもよい。
【図面の簡単な説明】
【００６５】
【図１】データバックアップシステムの構成図。
【図２】データバックアップシステムの電気的構成を示す図。
【図３】データテーブル管理テーブルを示す図。
【図４】バックアップ処理ルーチンを示す図。
【図５】リストア処理ルーチンを示す図。
【図６】データバックアップシステムの構成図。
【符号の説明】
【００６６】
１    充電器
２    サーバ
３    携帯電話端末
１０    データバックアップシステム
１３    ＣＰＵ
１８    読取・書込部
１９    充電器側通信部
２３    ＣＰＵ
２６    ＨＤＤ
２８    サーバ側通信部
３５    ＲＡＭ
【図１】
2010050859.tif 000003
【図２】
2010050859.tif 000004
【図３】
2010050859.tif 000005
【図４】
2010050859.tif 000006
【図５】
2010050859.tif 000007
【図６】
2010050859.tif 000008